(57)【要約】【課題】一定の液体サンプルの中の一定の分析物をモニターするための微量流体分析システムを提供する。【解決手段】上記システムは一定の液体サンプル（例えば、ＩＳＦ）の中における一定の分析物（例えば、グルコース）をモニターするための微量液体分析システムであり、一定の液体サンプルを受容して輸送するための少なくとも１個の微小管、その液体サンプルの中の一定の分析物を測定するための少なくとも１個の分析物センサーおよび少なくとも１個の位置電極を伴う一定の分析モジュールを含む。上記の分析物センサーおよび位置電極は上記微小管に対して操作可能にそれぞれ連絡している。また、上記微量流体分析システムは上記位置電極の一定の電気特性（インピーダンスまたは抵抗値等）を測定するように構成されている一定の計器も含む。さらに、この測定される電気特性は一定の電気特性を測定するための位置電極に対して操作可能に連絡している微小管の中の液体サンプルの位置に依存している。【選択図】図１
2005283581.tif 000002
【特許請求の範囲】
【請求項１】
一定の液体サンプルの中の一定の分析物をモニターするための微量流体分析システムにおいて、
一定の分析モジュールを備えており、この分析モジュールが
一定の液体サンプルを受容して輸送するための少なくとも１個の微小管、
前記液体サンプルの中の一定の分析物を測定するための少なくとも１個の分析物センサーを含み、この少なくとも１個の分析物センサーのそれぞれが一定の微小管に対して操作可能に連絡しており、さらに前記分析モジュールが
少なくとも１個の位置電極を含み、この少なくとも１個の位置電極のそれぞれが少なくとも１個の微小管に対して操作可能に連絡しており、さらに前記微量流体分析システムが
前記少なくとも１個の位置電極の一定の電気特性を測定するように構成されている一定の計器を備えており、この電気特性が一定の電気特性を測定するための前記少なくとも１個の位置電極に対して操作可能に連絡している微小管の中の液体サンプルの位置に依存している微量液体分析システム。
【請求項２】
さらに、前記計器に対して操作可能に連絡している一定のタイマーを含む請求項１に記載の微量流体分析システム。
【請求項３】
前記位置電極が当該位置電極の一定の表面が前記微小管に対して曝されるようにその微小管に対して操作可能に連絡している請求項１に記載の微量流体分析システム。
【請求項４】
前記位置電極が一定の絶縁層が当該位置電極を前記微小管から分離するようにその微小管に対して操作可能に連絡している請求項１に記載の微量液体分析装置。
【請求項５】
前記少なくとも１個の位置電極が第１の位置電極および第２の位置電極を含み、これら第１および第２の位置電極が第１の微小管に対して操作可能に連絡しており、さらに
前記計器が前記第１および第２の位置電極の間の一定の電気特性を測定するように構成されている請求項１に記載の微量液体分析システム。
【請求項６】
前記分析物センサーが前記第１の位置電極と第２の位置電極との間に配置されている請求項５に記載の微量流体分析システム。
【請求項７】
前記第１の位置電極および第２の位置電極が前記分析物センサーの下流側にある請求項５に記載の微量流体分析システム。
【請求項８】
前記電気特性が前記第１および第２の位置電極の間の一定のインピーダンスおよび当該第１および第２の位置電極の間の一定の抵抗値の内の少なくとも一つである請求項５に記載の微量流体分析システム。
【請求項９】
前記少なくとも１個の位置電極が前記分析物センサーに対して操作可能に連絡している請求項１に記載の微量液体分析システム。
【請求項１０】
さらに、前記第１の微小管に対して操作可能に連絡している第３の位置電極を含み、前記計器が前記第１、第２および第３の位置電極の内のいずれか２個の間の一定の電気特性を測定するように構成されている請求項５に記載の微量液体分析システム。
【請求項１１】
前記微小管が少なくとも１個の主微小管および少なくとも第１および第２の分岐している微小管を含む請求項１に記載の微量液体分析システム。
【請求項１２】
前記少なくとも１個の位置電極が前記主微小管の中における少なくとも１個の位置電極、前記第１の分岐している微小管の中における少なくとも１個の位置電極および前記第２の分岐している微小管の中における少なくとも１個の位置電極を含み、
前記計器が前記主微小管の中における位置電極と前記第１および第２の分岐している微小管の中における各位置電極のいずれかとの間の一定の電気特性を測定する請求項１１に記載の微量流体分析システム。
【請求項１３】
前記少なくとも１個の位置電極が前記第１の分岐している微小管の中における少なくとも２個の位置電極および前記第２の分岐している微小管の中における少なくとも２個の位置電極を含み、
前記計器が前記第１の分岐している微小管の中における２個の位置電極および前記第２の分岐している微小管の中における２個の位置電極のいずれかの間の一定の電気特性を測定する請求項１１に記載の微量流体分析システム。
【請求項１４】
前記少なくとも１個の位置電極が一定の両手の指を組み合わせた形態に構成されている第１および第２の位置電極を含む請求項１１に記載の微量流体分析システム。
【請求項１５】
前記少なくとも１個の位置電極が一定のヘビ状の位置電極である請求項１１に記載の微量流体分析システム。
【請求項１６】
さらに、一定のバイパス電極を含む請求項１に記載の微量流体分析システム。
【発明の詳細な説明】
【技術分野】
【０００１】
本発明は、一般に、分析装置に関連しており、特に、微量流体分析システムに関連している。
【背景技術】
【０００２】
種々の液体サンプルに基づく分析装置（すなわち、流体分析装置）において、信頼性の高い分析結果を得るために一定の高度な精度および正確さを伴って必要な種々の液体サンプルを調整する必要がある。このような調整は、例えば、１０ナノリットル乃至１０マイクロリットルの少量の液体サンプルを使用する「微量流体（microfluidic）」分析装置に関して特に保証されている。さらに、このような微量流体分析装置において、それぞれの液体サンプルは一般的に、例えば、１０マイクロメートル乃至５００マイクロメートルの程度の寸法を有する微小管の中に収容されて輸送される。
【０００３】
上記微小管内における少量の液体サンプルの調整（例えば、輸送、位置検出、流量決定および／または容量決定）は種々の間質液（ＩＳＦ）サンプルの中のグルコース濃度の決定を含む多様な分析処置の成功において不可欠であると言える。例えば、信頼性の高い結果を得ることは分析を始める前に一定の液体サンプルが一定の検出領域に到達していることを確認するためにその液体サンプルの位置を知ることを当然に必要とする。しかしながら、微量流体分析装置内の液体サンプルおよび微小管の比較的に小さな寸法はそのような調整を不確定にしている。
【０００４】
血糖のモニターのための分析システムの概念において、継続的なまたは半継続的なモニター用のシステムまたは方法は血糖濃度の傾向における洞察力、血糖濃度における食物および薬物の効果および一定の使用者の全体的な血糖値の制御を改善すると言う点において有利である。このような継続的なまたは半継続的なグルコースのモニター・システムの問題は一定のグルコース濃度の測定において少量の液体サンプルしか一般に利用できないことである。加えて、一定の調整した流量において抽出される流体の位置および全容積が分かる一定の様式で一定の標的部位から体外の一定のグルコース・モニターまで少量の液体を輸送することが困難である。
【発明の開示】
【発明が解決しようとする課題】
【０００５】
それゆえ、少量の液体サンプルの調整を可能にするか、上記の問題をその他の方法により軽減する一定の微量流体分析システムが当該技術分野において依然として要望されている。
【課題を解決するための手段】
【０００６】
本発明の各実施形態による微量流体分析システムは少量の液体サンプルの調整を可能にするか、上記の問題をその他の方法により軽減している。
【０００７】
本発明の一定の実施形態による一定の液体サンプル（例えば、ＩＳＦ）の中の一定の分析物（例えば、グルコース）をモニターするための一定の微量流体分析システムは一定の液体サンプルを受容して輸送するための少なくとも１個の微小管を伴う一定の分析モジュール、その液体サンプル中の一定の分析物を測定するための少なくとも１個の分析物センサー、および少なくとも１個の位置電極を含む。さらに、これらの分析物センサーおよび位置電極は上記微小管に対して操作可能に連絡している。
【０００８】
上記微量流体分析システムはまた上記位置センサーの一定の電気特性（例えば、インピーダンスまたは抵抗）を測定するために構成されている一定の計器も含む。例えば、この計器は単一の位置電極の２個の端部の間の一定の電気特性（例えば、抵抗）を測定することができ、あるいは、２個の位置電極の間の一定の電気特性（例えば、インピーダンス）を測定することも可能である。
【０００９】
さらに、本発明の実施形態による微量流体分析システムの各実施形態において、上記の測定される電気特性は一定の電気特性が測定される位置電極に対して操作可能に連絡している微小管の中の液体サンプルの位置により決まる。例えば、測定されるインピーダンスの一定の変化は１個以上の位置電極に対する一定の微小管の中の一定の導電性の液体の前部の位置に依存していると考えられる。
【００１０】
本発明の実施形態による微量流体分析装置は上記微小管の中の液体サンプルの位置により決まる一定の電気特性を測定する一定の計器を含むので、その測定は正確な液体サンプルの位置検出、液体サンプルの流量決定および／または液体サンプル量の決定を可能にする。
【発明の効果】
【００１１】
従って、本発明によれば、少量の液体サンプルの調整を可能にするか、上記の問題をその他の方法により軽減する一定の微量流体分析システムが提供できる。
【発明を実施するための最良の形態】
【００１２】
本発明の種々の特徴および利点の比較的に良好な理解が本発明の原理を利用している以下の例示的な実施形態を述べている詳細な説明および各添付図面を参照することにより得ることができる。
【００１３】
図１乃至図４は本発明の一定の例示的な実施形態による一定の液体サンプルの中の一定の分析物を決定するための（例えば、その分析物を決定し、さらに／または、その分析物の濃度を測定する）一定の微量流体分析システム１００をそれぞれ示している。
【００１４】
微量分析物システム１００は一定の液体サンプル（例えば、一定の皮膚組織の標的部位から摘出される一定のＩＳＦサンプル）を受容して輸送するための一定の微小管１０４、その液体サンプル中の一定の分析物（例えば、グルコース）を測定するための一定の分析物センサー１０６（例えば、一定の電気化学的な分析物センサーまたは測光式の分析物センサー）、および第１および第２の位置電極１０８および１１０を伴う一定の分析モジュール１０２を含む。この図１乃至図４の実施形態において、微小管１０４は一定のセンサー前微小管部分１０４ａおよび一定のセンサー後微小管部分１０４ｂを含む。この微量流体分析システム１００はまた一定のセンサー・チャンバー１０５も含み、このチャンバー１０５の中に分析物センサー１０６が配置されている。
【００１５】
上記微量流体分析システム１００はさらに第１の位置電極１０８と第２の位置電極１１０との間のインピーダンスを測定するための一定の計器１１２を含み、この測定されるインピーダンスは微小管１０４の中の一定の液体サンプル（図１乃至図４において示されていない）の位置により決まる。
【００１６】
一般に、本発明の各実施形態における各位置電極の間のインピーダンス、またはオーム抵抗を測定することはこれらの間に一定の電圧を加えてその結果として生じる電流を測定することにより達成できる。この場合に、一定の定常電圧または一定の交流電圧のいずれかを各位置電極の間に加えて、その結果として生じる直流電流（ＤＣ）または交流電流（ＡＣ）をそれぞれ測定することが可能である。その後、この結果として生じるＤＣまたはＡＣを用いて上記のインピーダンスまたはオーム抵抗を計算することができる。さらに、当業界における熟練者であれば一定のインピーダンスを測定することが一定のオーム値の降下（すなわち、オーム値または電圧／電流における抵抗値［Ｒ］）の測定およびキャパシタンス（すなわち、ファラッドまたはクーロン／ボルトにおけるキャパシタンス）の測定の両方を含むことができることを認識する。実際に、インピーダンスは、例えば、一定の交流電流を各位置電極に加えてその結果として生じる電流を測定することにより測定できる。この場合に、交流電流の異なる周波数において、その抵抗性または容量性の作用のいずれかがその測定されるインピーダンスの決定において優勢になる。例えば、純粋な抵抗性の成分は比較的に低い周波数において優勢になり、純粋な容量性の成分は比較的に高い周波数において優勢になり得る。さらに、これらの抵抗性および容量性の成分を識別するために、供給される交流電流とその結果として測定される電流との間の位相差が決定できる。この位相のずれがゼロであれば、純粋な抵抗性の成分が優勢である。一方、位相のずれがその電流が電圧よりも遅れていることを示せば、容量性の成分が重要になる。それゆえ、一定の供給される電流の周波数および位置電極の構成により、抵抗または抵抗およびキャパシタンスの一定の組み合わせのいずれかを測定することが有利になる可能性がある。
【００１７】
図１乃至図４の実施形態において、インピーダンス測定は、例えば、第１の位置電極１０８と第２の位置電極１１０との間に一定の交流電圧を加えて、その結果として生じる交流電流を測定することにより行なうことができる。上記第１の位置電極１０８および第２の位置電極１１０は（これら第１および第２の位置電極の間の微小管１０４の中における何らかの物質［例えば、空気または一定の液体サンプル］）およびその物質に対する直接的な接触から各位置電極を分離することができる何らかの層と共に）一定のコンデンサーの一部分であるので、その測定される電流はそのインピーダンスを計算するために使用できる。さらに、上記第１および第２の位置電極の間の微小管１０４の中における一定の液体サンプルの有無がその測定される電流およびインピーダンスに影響を与える。
【００１８】
上記第１および第２の位置電極の間に加えられる交流電圧の周波数および振幅はこれら第１および第２の位置電極の間における一定のサンプルの存在がその測定される電流の一定の有意義な増加により検出可能になるように予め決定できる。
【００１９】
上記のインピーダンスまたは抵抗の測定に関して、供給される電圧の大きさは、例えば、一定のＩＳＦ液体サンプルおよび炭素基材型または銀基材型インクの各位置電極の状況に応じて約１０ｍＶ乃至約２ボルトの範囲内にすることができる。さらに、この供給される電圧の範囲の下限および上限は液体サンプルの電解または電気的な分解の開始により決まる。一定の交流電圧が用いられる状況において、その交流電圧は、例えば、何らかの電気化学的な反応により液体サンプルの特性において一定の無視できる正味の変化を生じる一定の周波数において供給できる。このような周波数の範囲は、例えば、０ボルトの近辺において対称な一定の電圧波形を伴う約１０Ｈｚ乃至約１００ｋＨｚにすることができる（すなわち、この交流電圧のＲＭＳ値は約ゼロである）。
【００２０】
図１における単純化した様式において示されているように、分析物センサー１０６、第１の位置電極１０８および第２の位置電極１１０はそれぞれ微小管１０４に対して操作可能に連絡している。なお、本発明の各実施形態において用いられている各位置センサーが、分析用の電極材料として従来において用いられている種々の導電性の材料、特に、柔軟な種々の回路、写真平板製造技法、スクリーン印刷技法およびフレキソ印刷技法において使用することに適していることが知られている種々の導電性の材料を含む、当業界における熟練者に知られている任意の適当な導電性の材料により形成可能であることに注目する必要がある。適当な導電性の材料は、例えば、カーボン、貴金属（例えば、金、プラチナおよびパラジウム）、貴金属合金、導電性で電位形成性の金属酸化物および金属塩を含む。上記の位置電極は、例えば、市場において入手可能な導電性の銀インクであるエレクトロダグ（Electrodag）４１８ＳＳ等のような導電性の銀インクにより形成できる。
【００２１】
図１乃至図４の実施形態において、分析モジュール１０２はさらに一定の成形プラグ１１４、一定の微小管ディスク１１６および一定のラミネート層１０８を含む（それぞれ、図２，３および４において個々に示されている）。この分析モジュール１０２は、例えば、ラミネート層１１８および成形プラグ１１４を伴うインターフェース用の微小管ディスク１１６により構成できる。
【００２２】
上記成形プラグ１１４は一定の入口管１２０および一定の位置合わせ棒材１２２を含む。また、微小管ディスク１１６は一定の液体サンプル廃物貯蔵部１２４、ならびに上記の微小管１０４およびセンサー・チャンバー１０５を（ラミネート層１１８と共に）定めるように構成されている。加えて、上記微小管ディスク１１６は一定の位置合わせ穴１２６を含む（例えば、図３を参照されたい）。
【００２３】
上記ラミネート層１１８は一定のアクセス穴１２８、一定の膜の弁１３０、および図１乃至図４の実施形態において、上記の分析物センサー１０６および第１および第２の位置電極１０８および１１０を含む。
【００２４】
上記微小管１０４は約１０マイクロメートル乃至約５００マイクロメートルの範囲内の流体の流れの方向に対して垂直な断面の寸法（すなわち、高さおよび幅）を有している。本発明の各実施形態における一定の微小管の中において取り扱う典型的な流体サンプルの容量は約１０ナノリットル乃至約１０マイクロリットルの程度である。この点において、上記用語の「取り扱う（handled）」は一定の標的部位から摘出される単離した液体サンプルの容量（５０ｎｌ乃至２５０ｎｌの範囲内の単離した容量）、一定の分析物センサーにより必要とされる最少の液体サンプルの容量（例えば、５０ｎｌ）、および一定の微量流体分析システムの有効な寿命を通して一定の微小管を通して伝達される合計の液体サンプルの容量（例えば、約１０マイクロリットルの一定の合計の容量）を含むがこれらに限定されない種々の液体サンプルの容量の輸送を意味する。
【００２５】
上記成形プラグ１１４の位置合わせ棒材１２２はこの成形プラグ１１４と微小管ディスク１１６との適当な位置合わせ（整合）を確実にするために上記微量流体分析システム１００の製造中に用いられる。例えば、このような位置合わせは分析物センサー１０６がセンサー・チャンバー１０５に対して操作可能に位置合わせされること、および第１および第２の位置電極１０８および１１０がセンサー後微小管部分１０４ｂに対して位置合わせされることを確実にする必要がある。製造中に、上記ラミネート層１１８はこのラミネート層１１８および／または微小管ディスク１１６において含まれている整合用の特徴部分（図示されていない）により、あるいは、光学的な確認により微小管ディスク１１６に位置合わせできる。
【００２６】
上記微小管ディスク１１６における位置合わせ穴１２６は一定の半円形状を有していてその微小管ディスク１１６を貫通している穴として示されている。一方、位置合わせ棒材１２２は位置合わせ穴１２６に対して相補的な一定の形状および寸法を有しているので、図１において示されているように、微小管ディスク１１６を成形プラグ１１４に対して固定して接続するように作用する。これらの位置合わせ穴１２６および位置合わせ棒材１２２の両方における半円形状の使用は一定の組み合わされた成形プラグ１１４および微小管ディスク１１６の回転の自由度を有利に制限する。なお、一定の半円形以外の代替的な形状も使用可能であることに注目する必要がある。
【００２７】
図１乃至図４において示されていないが、ラミネート層１１８は分析物センサー１０６を外部の装置（以下において図５を参照して説明されているような一定のローカル・コントローラ・モジュール等）に電気的に接続するための、さらに、第１および第２の位置電極１０８および１１０を計器１１２に対して接続するための電気的な接続要素を含む。このような電気的な接続手段は、例えば、導電性のトレースおよび電気的な接触パッドを含むことができる。
【００２８】
図５を参照して以下において説明されているような一定のサンプリング・モジュール等の適当な手段により一定の液体サンプル（例えば、一定のＩＳＦ液）を入口管１２０に輸送することが考慮されている。この場合に、入口管１２０を通る液体サンプルの流れは膜の弁１３０により調整される。なお、膜の弁以外の別の種類の弁が使用可能であり、当業界における熟練者において周知であることに注目する必要がある。
【００２９】
図１の実施形態において、膜の弁１３０は変形可能であり、一定のドーム形状において一定の弾性材料により作成されている。この膜の弁１３０が一定の変形されていない状況にある時に、一定の液体サンプルがこの膜の弁１３０を通過してセンサー前微小管部分１０４ａを充たすことができる。しかしながら、この膜の弁１３０が（例えば、アクセス穴１２８を介する圧力の供給により）初期的に変形している場合には、この弁１３０は位置口管１２０を閉塞して液体サンプルがこれを通して流れることを妨げる。加えて、この膜の弁１３０がさらに変形すると、液体サンプルがセンサー前微小管部分１０４ａを通してセンサー・チャンバー１０５の中に押し込まれる。この液体サンプルの膜の弁１３０を通過する移動（すなわち、入口管１２０からセンサー前微小管部分１０４ａに到る移動）は膜の弁１３０の変形において供給される圧力の量により調整できる。この場合に、微小管１０４の中に到る一般的な液体サンプルの流量は約１０ナノリットル／分乃至約１０００ナノリットル／分の範囲内である。
【００３０】
上記第１および第２の位置電極１０８および１１０は計器１１２と共に微小管１０４の中における液体サンプルの位置、一定の液体サンプルの流量および／または膜の弁１３０の押圧を制御するために役立つ一定の摘出した液体サンプルの溶液を決定するために使用できる。一定の最少量の液体サンプルが分析物の決定を開始するために分析物モジュール１０２の中に集められた時を確認するためにその液体サンプルの位置を決定することが有利である。また、所定時間の期間にわたり半継続的に停止される流量測定（一定の継続的な測定ではなく、時々に停止される液体サンプルの流れにより行なわれる測定であり、単位時間当たりに所定数の測定を生じる測定［一般的に１時間当たりに４乃至１０回の測定の範囲内］）を容易にする一定の様式で上記膜の弁１３０を制御するために液体サンプルの流量および／または上記微量流体分析システム１００の中に入っている液体サンプルの全量を決定することも有利であると考えられる。加えて、液体サンプルの流量および液体サンプルの全量を決定することはセンサーの遅れの補正を可能にする。さらに、上記分析物センサー１０６は流量に対して感度を良くすることができる。それゆえ、上記第１および第２の位置電極および計器１１２の使用により、上記システム１００が、例えば、約８時間等のような一定の延長された時間の期間にわたり一定の分析物を比較的に正確に決定することが可能になる。
【００３１】
図１乃至図４の実施形態において、上記分析物センサー１０６はセンサー・チャンバー１０５の中に配置されている。この分析物センサー１０６は当業界における熟練者において知られている任意の適当なセンサーとすることができる。関連の分析物がグルコースである状況において、分析物センサー１０６はグルコース濃度に比例する一定の電流を測定する一定の電気化学的なグルコース・センサーとすることができる。特に、この分析物センサー１０６は、例えば、停止した流れ（すなわち、測定中に流量がゼロまたはほとんどゼロである）の状況下であり、グルコースがセンサー・チャンバー１０５の中において消費されている状態における電流を測定する一定の電気化学的なグルコース・センサーとすることができる。本発明の実施形態において使用できる分析物センサーの例は電気化学に基づき測光方式に基づく分析物センサーを含むがこれらに限定されない。さらに、電気化学に基づく分析物センサーは、例えば、電流測定式、電位測定式および電量分析式の分析物センサーを含む。また、測光方式に基づく分析物センサーは、例えば、透過、反射、比色、蛍光、散乱および吸収の方式の分析物センサーを含む。
【００３２】
一定の液体サンプル中における分析物を分析物センサー１０６により決定した後に、この液体サンプルはセンサー後微小管部分１０４ｂに輸送される。
【００３３】
当業界における熟練者であれば、本発明の各実施形態により分析物モニター・システムが、例えば、種々の装置における一定のサブシステムとして使用できることが認識できる。例えば、本発明の各実施形態は図５において示されているシステム２００の一定の分析物モジュールとして使用できる。このシステム２００は一定の体液サンプル（例えば、一定のＩＳＦサンプル）を摘出してその中の一定の分析物（例えば、グルコース）をモニターするように構成されている。また、このシステム２００は一定の廃棄可能なカートリッジ２１２（点線の箱の中に含まれている）、一定のローカル・コントローラ・モジュール２１４および一定のリモート・コントローラ・モジュール２１６を含む。
【００３４】
上記システム２００において、廃棄可能なカートリッジ２１２は一定の身体（Ｂ、例えば、一定の使用者の皮膚の層）から体液サンプル（すなわち、一定のＩＳＦサンプル）を摘出するための一定のサンプリング・モジュール２１８およびその体液の中の一定の分析物（すなわち、グルコース）を測定するための一定の分析モジュール２２０を含む。このサンプリング・モジュール２１８は当業界における熟練者において知られている任意の適当なサンプリング・モジュールとすることができ、分析物モジュール２２０は本発明の各実施形態による一定の微量流体分析システムとすることができる。適当なサンプリング・モジュールの例が国際特許出願第ＰＣＴ／ＧＢ０１／０５６３４号（２００２年、６月２７にＷＯ０２／４９５０７Ａ１号として公開されている）および米国特出願許第１０／６５３，０２３号において記載されており、これらは完全に本明細書において参考文献として含まれる。しかしながら、上記システム２００において、サンプリング・モジュール２１８は廃棄可能なカートリッジ２１２の一定の部品であるので廃棄可能になるように構成されている。
【００３５】
図６において示されているように、上記システム２００におけるサンプリング・モジュール２１８は身体Ｂの一定の標的部位（ＴＳ）に侵入して一定のＩＳＦサンプルを摘出するための一定の侵入部材２２２、一定の発進機構２２４および少なくとも１個の押圧リング２２８を含む一定のＩＳＦサンプリング・モジュールである。このサンプリング・モジュール２１８は一定の継続的なまたは半継続的なＩＳＦの流れをこのＩＳＦサンプル内の一定の分析物（グルコース等）をモニター（例えば、濃度測定）するための分析物モジュール２２０に供給することに適合している。
【００３６】
上記システム２００の使用中に、侵入部材２２２が発進機構２２４の動作により標識部位の中に挿入される（すなわち、標識部位に侵入する）。一定の使用者の皮膚の層から一定のＩＳＦサンプルを摘出するために、上記侵入部材２２２は、例えば、１．５ｍｍ乃至３ｍｍの範囲内の一定の最大の挿入深さに挿入できる。加えて、この侵入部材２２２は一定の継続的なまたは半継続的な様式で一定のＩＳＦサンプルの摘出を最適化するように構成できる。この点において、侵入部材２２２は、例えば、一定の曲がっている先端部分を有する２５ゲージの薄肉型のステンレス・スチール針（図５または図６において示されていない）を含むことができ、この場合に、その曲がっている先端部分に対応する一定の支点がその針の先端部分と針のかかととの間に配置されている。このような侵入部材において使用することに適している針が米国特許出願第１０／１８５，６０５号（２００３年、３月２７日に米国特許出願公開第２００３／００６０７８４Ａ１号として公開されている）において記載されている。さらに、上記システム２００に関する詳細が米国特許出願第１０／７１８，８１８号において記載されている。
【００３７】
図１乃至図４の実施形態において、第１および第２の位置電極１０８および１１０および計器１１２はこれら第１および第２の位置電極が共に微小管１０４に関して分析物センサー１０６の「下流側（downstream）」にあるように構成されている。しかしながら、別の適当な構成も使用可能である。例えば、図７は本発明による微量流体分析システムの実施形態において使用するための一定の位置電極、微小管、分析物センサーおよび計器の構成３００の単純化した概略図である。この構成３００は第１の位置電極３０２、第２の位置電極３０４、電気インピーダンス計器３０６、タイマー３０８、微小管３１０および分析物センサー３１２を含む。さらに、この図７の構成において、波状の線は微小管３１０の中の一定の液体サンプル（例えば、一定のＩＳＦ、血液、尿、血漿、血清、緩衝液または試薬の液体サンプル）を示している。
【００３８】
上記の構成３００は微小管３１０の中の一定の液体サンプルの位置または流量を決定するために使用できる。図７の構成において、分析物センサー３１２は第１の位置電極３０２と第２の位置電極３０４との間に配置されている。また、電気インピーダンス計器３０６は第１の位置電極３０２と第２の位置電極３０４との間の一定の電気的なインピーダンスを測定することに適合している。このような測定は、例えば、微小管３１０の中の一定の液体サンプルおよび第１の位置電極３０２と第２の位置電極３０４との間において形成される一定の導電経路により生じる一定のインピーダンスが測定可能にあり、これにより、液体サンプルの存在を示す一定の信号が得られるように、第１の位置電極３０２と第２の位置電極３０４との間に一定の定常的なまたは交流の電圧を加えるための一定の電圧供給源を使用することにより達成できる。
【００３９】
さらに、上記の電気インピーダンス計器３０６が上記第１および第２の位置電極の間における一定の液体サンプルの存在によりインピーダンスの一定の変化を測定する場合に、一定の信号をタイマー３０８に送ることにより液体がこれらの第１および第２の位置電極の間に最初に存在した時間を標識することができる。さらに、この測定されるインピーダンスが第２の位置電極に液体サンプルが到達していることを示す場合に、別の信号をタイマー３０８に送ることができる。このような一定の液体サンプルが上記第１および第２の位置電極の間に最初に存在した時間とこの液体サンプルが第２の位置電極に到達した時間との間における時間差はその液体サンプルの流量または流速を決定するために使用できる（この場合に、第１および第２の位置電極の間の微小管３１０の容積が知られている）。さらに、液体サンプルの流量または液体サンプルの位置の情報は全体の液体サンプルの容量を決定するために使用できる。加えて、一定の液体サンプルが第２の位置電極３０４に到達した時間点を示す一定の信号は上記膜の弁１３０の適当な変形状態を決定することにおいて使用するために一定のローカル・コントローラ・モジュール（例えば、図５のローカル・コントローラ・モジュール２１４）に送ることも可能である。
【００４０】
図８Ａは本発明による微量流体分析システムの各実施形態において一定の位置電極が一定の微小管に対して操作可能に連絡できる一定の様式を示している単純化した断面の概略図である。この図８Ａは一定の微小管３５０（断面）、一定の微小管ディスク３５２、一定の位置電極３５４、一定のラミネート層３５６および一定の計器３５８を示している。このような図８Ａにおける構成において、位置電極３５４は当該位置電極３５４の一定の表面部分３６０が微小管３５０の中の液体サンプル（図８Ａにおいて波状の線により示されている）に対して露出するように微小管３５０に対して操作可能に連絡している。
【００４１】
図８Ａの実施形態（および本発明の別の実施形態）において、微小管ディスク３５２およびラミネート層３５６は、例えば、高分子の絶縁材料（例えば、ポリスチレン、シリコーン・ゴム、ＰＭＭＡ、ポリカーボネートまたはＰＥＥＫ）および、例えば、ガラス等のような非高分子の絶縁材料を含む電気的に絶縁性の材料により作成されている。
【００４２】
図８Ｂは本発明による微量流体分析システムの各実施形態において一定の位置電極が一定の微小管に対して操作可能に連絡できる別の様式を示している単純化した断面の概略図である（図８Ａと同一の参照番号または符号を用いている）。この図８Ｂは一定の微小管３５０（断面）、一定の微小管ディスク３５２、一定の位置電極３５４、一定のラミネート層３５６および一定の計器３５８を示している。この図８Ｂの構成において、位置電極３５４は微小管３５０に対して操作可能に連絡しているが、一定の絶縁性の層、すなわち、ラミネート層３５６の一部分により微小管３５０から分離している。このような図８Ｂにおいて示されている様式の利点は微小管３５０内の液体サンプルと位置電極３５４との間の直接的な接触が無く、これにより、その位置電極３５４による液体サンプルの電気分解または電気的な分解が生じないことである。
【００４３】
図９は本発明による微量流体分析システムの各実施形態において使用するための別の微小管、分析物センサーおよび位置電極の構成４００の単純化した概略図である。この構成４００は第１の位置電極４０２、第２の位置電極４０４、電気インピーダンス計器４０６、タイマー４０８、微小管４１０および分析センサー４１２を含む。この図９の構成において、波状の線は微小管４１０の中の一定の液体サンプル（例えば、ＩＳＦ、血液、尿、血漿、血清、緩衝液または試薬の液体サンプル）を示している。
【００４４】
図９の実施形態において、第１の位置電極４０２および分析物センサー４１２は共にローカル・コントローラ・モジュール２１４に操作可能に連絡している。このような様式において、第１の位置電極は分析物センサー４１２に対応する一定の位置電極および一定の基準電極の両方として作用できる（この場合に、分析物センサー４１２は一定の電気化学に基づく分析センサーであると仮定している）。さらに、電気インピーダンス計器４０６およびタイマー４０８をローカル・コントローラ・モジュール２１４の中に組み込むことが可能であることに注目する必要がある。
【００４５】
図９の構成の利点は第１の位置電極を分析物センサー４１２に対応する一定の位置電極および一定の基準電極の両方として使用することにより達成される複雑さの減少である。このような図９の構成において、第１の位置電極４０２は、例えば、当該第１の位置電極と液体サンプルとの間において一定の安定な電位を生じる一定の材料により製造可能である。さらに、この液体サンプルが一定のＩＳＦの液体サンプルである状況において、上記第１の位置電極は塩素化した銀（Ａｇ／ＡｇＣｌ）により形成できる。
【００４６】
図１０は本発明による微量流体分析システムの各実施形態において使用するためのさらに別の位置電極、微小管、分析物センサーおよび計器の構成４５０の単純化した概略図である。この構成は第１、第２および第３の位置電極、それぞれ、４５２，４５４および４５６、一定の分析物センサー４５８、一定の電気インピーダンス計器４６０、タイマー４６２、および微小管４６４を含む。この場合に、電気インピーダンス計器４６０は上記第１、第２および第３の位置電極の内のいずれか２個の間の電気的なインピーダンスを測定するように構成されている。
【００４７】
上記の構成４５０はこの構成４５０が３個の位置電極を含むことにおいて上記構成３００および４００とは異なっている。このように３個の位置電極を含むことは微小管４６４の中の一定の液体サンプルの位置および流量を正確に検出するための一定の改善された能力を与える。例えば、２個の位置電極を使用することは単一の部分（すなわち、これら２個の位置電極の間における一定の微小管に含まれる空間）の検出を可能にする。しかしながら、３個（またはそれ以上）の位置電極を使用することはこれら３個（またはそれ以上）の位置電極を連続的に通過するので多数の部分の検出を可能にする。
【００４８】
図１１は本発明による微量流体分析システムの各実施形態において使用するための一定の位置電極、微小管（一定の主微小管および２個の分岐微小管により構成されている）、分析物センサーおよび計器の構成５００の単純化した概略図である。この構成５００は主微小管５０２、第１の分岐微小管５０４および第２の分岐微小管５０６により構成されている一定の微小管を含む。また、上記構成５００は第１の位置電極５０８（主微小管５０２に対して操作可能に連絡している）、第２の位置電極５１０（第１の分岐微小管５０４に対して操作可能に連絡している）および第３の位置電極５１２（第２の分岐微小管５０６に対して操作可能に連絡している）も含む。
【００４９】
さらに、上記構成５００は第１の分析物センサー５１４（第１の分岐微小管５０４に対して操作可能に連絡している）および第１の分析物センサー５１６（第２の分岐微小管５０６に対して操作可能に連絡している）、一定の計器５１８およびタイマー５２０を含む。この計器５１８は上記第１の位置電極と上記第２および第３の位置電極のいずれかとの間の一定の電気特性（例えば、インピーダンス）を測定するように構成されている。
【００５０】
上記構成５００を主微小管５０２から第１および第２の分岐微小管５０４および５０６のいずれかに一定の液体サンプルを選択的に送るための液体取扱用の手段を含む一定の装置の中において使用することが考慮されている。このような液体取扱用の手段の例は種々の能動弁、受動弁、キャピラリー・ブレーク、空気圧バリアおよび疎水性パッチを含むがこれらに限定されない。
【００５１】
上記構成５００は第１の分岐微小管５０４（第１の位置電極５０８と第２の位置電極５１０との間の一定の電気特性を測定するために計器５１８を使用することによる）または第２の分岐微小管５０６（第１の位置電極５０８と第３の位置電極５１２との間の一定の電気特性を測定するために計器５１８を使用することによる）のいずれかにおける一定の液体サンプルの位置を検出するために使用できる。このような検出は液体サンプルの流れおよび第１の分析物センサー５１４または第２の分析物センサー５１６のいずれかによる液体サンプル中の一定の分析物の決定を制御するために使用できる。
【００５２】
図１２は本発明による微量流体分析システムの各実施形態において使用するための別の位置電極、微小管（一定の主微小管および２個の分岐微小管により構成されている）、分析物センサーおよび計器の構成５５０の単純化した概略図である。この構成５５０は一定の主微小管５５２、第１の分岐微小管５５４および第２の分岐微小管５５６により構成されている一定の微小管を含む。また、上記構成５５０は第１および第２の位置電極５５８および５６０（第１の分岐微小管５５４に操作可能に連絡している）および第３および第４の位置電極５６２および５６４（第２の分岐微小管５５６に操作可能に連絡している）も含む。
【００５３】
さらに、上記構成５５０は第１の分析物センサー５６６（第１の分岐微小管５５４に操作可能に連絡している）および第２の分析物センサー５６８（第２の分岐微小管５５６に操作可能に連絡している）、一定の計器５７０およびタイマー５７２を含む。この計器５７０は上記第１および第２の位置電極および第３および第４の位置電極のいずれかの間の一定の電気特性（例えば、インピーダンス）を測定するように構成されている。
【００５４】
上記の構成５５０を上記主微小管５５２から上記第１および第２の微小管５５４および５５６のいずれかに一定の液体サンプルを選択的に送るための液体取扱用の手段を含む一定の装置において使用することが考慮されている。このような液体取扱用の手段の例は種々の能動弁、受動弁、キャピラリー・ブレーク、空気圧バリアおよび疎水性パッチを含むがこれらに限定されない。
【００５５】
上記構成５５０は第１の分岐微小管５５４（第１の位置電極５５８と第２の位置電極５６０との間の一定の電気特性を測定するために計器５７０を使用することによる）または第２の分岐微小管５５６（第３の位置電極５６２と第４の位置電極５６４との間の一定の電気特性を測定するために計器５７０を使用することによる）のいずれかにおける一定の液体サンプルの位置を検出するために使用できる。このような検出は液体サンプルの流れおよび第１の分析物センサー５６６または第２の分析物センサー５６８のいずれかによる液体サンプル中の一定の分析物の決定を制御するために使用できる。このような構成５５０の利点は上記第１および第２の位置電極（ならびに上記第３および第４の位置電極）がこれらの間の比較的に高い電気特性（例えば、比較的に高いインピーダンス）の正確な測定を可能にするために互いに相対的に近づけて配置できることである。
【００５６】
図１３は本発明による微量流体分析システムの各実施形態において使用するための一定の位置電極、微小管および計器の構成６００の単純化した概略図である。また、図１４は図１３の構成６００の一部分に対応する一定の等価な電気回路の単純化した概略図である。
【００５７】
上記構成６００は両手の指を組み合わせた形態の第１の位置電極６０２および第２の位置電極６０４を含む。この構成６００はまた一定の微小管６０６および一定の計器６０８も含む。上記第１および第２の位置電極６０２および６０４はそれぞれ互いに実質的に平行に且つ交互に連続して（例えば、図１３において示されているような一定の交互の「指様の（finger-like）」パタンで）配置されている複数の電極部分を有している。説明のために、第１および第２の位置電極６０２および６０４に対応してそれぞれ４個の電極部分（それぞれ、６０２ａおよび６０４ａ）が図１３において示されている。このような両手の指を組み合わせた形態の各電極部分は「指（fingers）」とも呼ばれている。
【００５８】
本発明の各実施形態における位置電極およびこれらの間の間隔は任意の適当な寸法にできる。都合の良いことに、一定の両手の指を組み合わせた形態が比較的に少量のサンプルの電気特性の測定を可能にする寸法（例えば、図１３の各寸法Ｗg およびＷe により採用可能である。
【００５９】
上記の構成６００において、それぞれの「指」は、例えば、約１マイクロメートル乃至約１５００マイクロメートルの範囲内の一定の幅Ｗe を独立して有することができる。また、各電極の「指」の間の間隔は、例えば、約０．１ミリメートル乃至約１５ミリメートルの範囲内にすることができる。さらに、各位置電極の厚さは所望の電流を持続するために十分である。例えば、例示的な厚さは約１マイクロメートル乃至約１００マイクロメートルの範囲内である。
【００６０】
上記の構成６００のような両手の指を組み合わせた形態は、例えば、一定の液体サンプルに対して接触することおよび一定の電気特性を測定すること等のような有用性を得るために十分である任意の数の「指」を有することができる。例えば、このような両手の指を組み合わせた形態は２個乃至約１００個の「指」を有することができる。
【００６１】
上記の構成６００は微小管６０６の中を流れる一定の液体サンプルの部分を検出するために使用できる。このような所定の容量（例えば、２５０ナノリットル等）を有する各検出部分は微小管６０６の高さおよび幅および距離Ｗg により定めることができる。例えば、微小管６０６が共に約２５０ミクロンである一定の高さおよび幅を有し、上記のＷe が約０．５ミリメートルおよびＷg が約４ミリメートルであり、液体サンプルが位置電極６０２および位置電極６０４のいずれの指の間も橋渡ししていない場合に、この第１の電極６０２と第２の電極６０４との間の抵抗は実質的に無限大になる。しかしながら、一定のＩＳＦの液体サンプルが上記第１の位置電極における第１の指と上記第２の位置電極における第１の指との間の微小管６０６を橋渡しする（充たす）（図１３において波状の線により示されている一定の状況になる）と、測定される合計の抵抗値ＲT が約３７キロオームである一定の液体の抵抗値ＲI に降下する。
【００６２】
上記の構成６００において、それぞれの指の抵抗値Ｒe は少なくとも１０の係数だけＲI よりも小さいことに注目する必要がある。さらに、微小管６０６が一定の液体サンプルにより充たされると、その第１の位置電極６０２と第２の位置電極６０４との間において測定される合計の抵抗値ＲT はさらに降下する。この測定される合計の抵抗値ＲT の減少は以下の式により特徴付けられる。
【００６３】
【数１】
2005283581.tif 000003
この場合に、ｎは液体サンプルにより「橋渡しされている（bridged）」指の数である。さらに、上記の構成６００はＲe がＲI よりもはるかに小さい時に特に有用である。
【００６４】
さらに、上記構成６００において、微小管６０６はそれぞれの電極の指６０２ａを１回通過する（すなわち、操作可能に連絡する）ように示されている。しかしながら、この微小管６０６は当該微小管６０６が複数回にわたりそれぞれの電極の指６０２ａを通過するような一定のヘビ状の形態を有することも可能である。このような形態は比較的に小さい液体サンプルの量（例えば、５ｎｌよりも少ない液体サンプルの量）を容易に分析する能力を高めることができる。
【００６５】
図１５は本発明による微量流体分析システムの各実施形態において使用するための一定の位置電極、微小管および計器の構成６５０の単純化した概略図である。また、図１６は図１５の構成６５０の一部分に対応する一定の等価な電気回路の単純化した概略図である。
【００６６】
上記構成６５０は８個の「指（fingers）」６５２ａを伴う単一のくし形の位置電極６５２、一定の微小管６５４および一定の計器６５６を含む。これらの電極の指６５２ａはそれぞれの間に電極セグメントを定めるために役立ち、それぞれのセグメントは（図１６において示されているように）一定の抵抗値Ｒe を有している。この場合に、図１６のＷg およびＷe の各寸法を上記の構成６００に関して既に説明されている値と同一にできることに注目する必要がある。
【００６７】
微小管６５４の中の液体サンプルが上記８個の指６５２ａのいずれの間にも存在していない場合には、一定の測定される位置電極６５２の合成抵抗はそれぞれの電極セグメントに対応する抵抗値Ｒe の合計である（すなわち、全ての電極要素を合わせた抵抗値である）。しかしながら、一定の液体サンプルが指６５２ａのいずれかの間において微小管６５４を充たし始めると、そのＲe に対して並列の抵抗値ＲI が生じるので（図１６を参照されたい）、その測定される合計の抵抗値ＲT が降下または減少する。この場合に、上記構成６５０においては、それぞれの電極セグメントの抵抗値Ｒe が、好ましくは約１０またはそれ以上の係数だけ、ＲI よりも有意義に大きいことに注目する必要がある。
【００６８】
図１７は本発明による微量流体分析システムの実施形態において使用するための一定の位置電極、微小管および計器の構成７００の単純化した概略図である。この構成７００は一定の単一のヘビ形の位置電極７０２、一定の微小管７０４および一定の計器７０６を含む。
【００６９】
上記図１７における各寸法Ｗg およびＷe が上記構成６００に関して既に説明されている寸法と同一にできることに注目する必要がある。
【００７０】
図１８は本発明による微量流体分析システムの各実施形態において使用するための一定の位置電極、微小管および計器の構成７５０の単純化した概略図である。また、図１９は図１８の構成７５０の一部分に対応する一定の等価な電気回路の単純化した概略図である。
【００７１】
上記の構成７５０は一定の位置電極７５２、微小管７５４、バイパス電極７５６、および計器７５８を含む。この位置電極７５２は８個の電極の「指（fingers）」７５２ａを伴う単一のくし形の位置電極である。これらの電極の指７５２ａはそれぞれの間に電極セグメントを定めるために役立ち、それぞれのセグメントは（図１８において示されているように）一定の抵抗値Ｒe を有している。この場合に、図１８のＷg およびＷe の各寸法を上記の構成６００に関して既に説明されている値と同一にできることに注目する必要がある。
【００７２】
液体サンプルが全く存在しない場合に、バイパス電極７５６が電気的に浮動する。しかしながら、２個の連続している電極の指７５２ａの間に一定の液体サンプルが存在している場合には、バイパス電極７５６は図１９において示されている回路の一部になり、抵抗Ｒb により特徴付けられる。
【００７３】
上記抵抗Ｒb がＲI'（すなわち、一定の電極の指と一定のバイパス電極との間の液体サンプルの抵抗）よりも相当に小さいと仮定すると、比較的に多くの電流が液体サンプルよりもバイパス電極の中を流れる。それゆえ、上記構成７５０は高い抵抗性の液体サンプルとの組み合わせにおいて用いられる場合に有利であり、この理由は、バイパス電極７５６が図１９において概略的に示されているようにＲT を効果的に減少するからである。さらに、本発明において既に述べられているように、当業界における熟練者であれば、一定のバイパス電極が一定の比較的に高い抵抗性の液体サンプルの存在下に全体の測定される抵抗値を減少するために種々の電極構成（例えば、図７、図９乃至図１３および図１７の各構成等）における位置電極間または電極の指の間に同様に配置可能であることが認識できる。
【００７４】
図２０は本発明による微量液体分析システムの実施形態において使用するための一定の位置電極、微小管および計器の構成８００の単純化した概略図である。この構成８００は一定の位置電極８０２、微小管８０４および計器８０６を含む。この計器８０６は一定の液体サンプル（図２０において波状の線により示されている）が微小管８０４の中を通過する時に継続的に変化する位置電極８０２の電気特性を測定するように構成されている。
【００７５】
実施例
図１３の形態に類似している両手の指を組み合わせた形態を一定の液体サンプルとして一定のリン酸塩緩衝液を用いることにより試験した。なお、この形態における第１および第２の位置電極は一定のスクリーン印刷技法を用いてＡｇ／ＡｇＣｌにより形成されている。加えて、これら第１の電極および第２の電極は４ミリメートルの一定の距離Ｗg だけ分離している。
【００７６】
０．２５ＭＨｚの一定の周波数、±０．１ボルトの一定の振幅、および０ボルトの一定のＲＭＳを伴う一定の電位波形を上記第１および第２の位置電極の間に印加した。これら第１および第２の位置電極の間に生じる電流に基づいて、測定される全体の抵抗値ＲT および全体のアドミッタンスを計算した（ＡT ＝１／ＲT であることに注目する必要がある）。図２１は測定される全体のアドミッタンスＡT が連続的な液体サンプルの部分が上記構成の各電極を通過するごとに線形に増加することを示している。
【００７７】
図２１はそれぞれの連続的な部分がアドミッタンスにおける変化として検出されることを示している。それゆえ、これらの検出部分は、例えば、一定の測定されるインピーダンス対時間の導関数における各突起部分についてモニターすることにより数えることができる。
【００７８】
本明細書において記載されている本発明の各実施形態に対する種々の変更が本発明の実施において使用可能であることが当然に理解されると考える。以下の特許請求の各項が本発明の範囲を定めること、およびこれらの特許請求の各項の範囲内における種々の構造およびこれらの等価物が本発明の範囲において含まれることが考慮されている。
【産業上の利用可能性】
【００７９】
本発明は少量の液体サンプルの調整を可能にする一定の液体サンプル中の一定の分析物をモニターするための微量流体分析システムに適用できる。
【００８０】
本発明の具体的な実施態様は以下のとおりである。
（１）一定の液体サンプルの中の一定の分析物をモニターするための微量流体分析システムにおいて、
一定の分析モジュールを備えており、この分析モジュールが
一定の液体サンプルを受容して輸送するための少なくとも１個の微小管、
前記液体サンプルの中の一定の分析物を測定するための少なくとも１個の分析物センサーを含み、この少なくとも１個の分析物センサーのそれぞれが一定の微小管に対して操作可能に連絡しており、さらに前記分析モジュールが
少なくとも１個の位置電極を含み、この少なくとも１個の位置電極のそれぞれが少なくとも１個の微小管に対して操作可能に連絡しており、さらに前記微量流体分析システムが
前記少なくとも１個の位置電極の一定の電気特性を測定するように構成されている一定の計器を備えており、この電気特性が一定の電気特性を測定するための前記少なくとも１個の位置電極に対して操作可能に連絡している微小管の中の液体サンプルの位置に依存している微量液体分析システム。
（２）さらに、前記計器に対して操作可能に連絡している一定のタイマーを含む実施態様１に記載の微量流体分析システム。
（３）前記位置電極が当該位置電極の一定の表面が前記微小管に対して曝されるようにその微小管に対して操作可能に連絡している実施態様１に記載の微量流体分析システム。
（４）前記位置電極が一定の絶縁層が当該位置電極を前記微小管から分離するようにその微小管に対して操作可能に連絡している実施態様１に記載の微量液体分析装置。
（５）前記少なくとも１個の位置電極が第１の位置電極および第２の位置電極を含み、これら第１および第２の位置電極が第１の微小管に対して操作可能に連絡しており、さらに
前記計器が前記第１および第２の位置電極の間の一定の電気特性を測定するように構成されている実施態様１に記載の微量液体分析システム。
【００８１】
（６）前記分析物センサーが前記第１の位置電極と第２の位置電極との間に配置されている実施態様５に記載の微量流体分析システム。
（７）前記第１の位置電極および第２の位置電極が前記分析物センサーの下流側にある実施態様５に記載の微量流体分析システム。
（８）前記電気特性が前記第１および第２の位置電極の間の一定のインピーダンスおよび当該第１および第２の位置電極の間の一定の抵抗値の内の少なくとも一つである実施態様５に記載の微量流体分析システム。
（９）前記少なくとも１個の位置電極が前記分析物センサーに対して操作可能に連絡している実施態様１に記載の微量液体分析システム。
（１０）さらに、前記第１の微小管に対して操作可能に連絡している第３の位置電極を含み、前記計器が前記第１、第２および第３の位置電極の内のいずれか２個の間の一定の電気特性を測定するように構成されている実施態様５に記載の微量液体分析システム。
【００８２】
（１１）前記微小管が少なくとも１個の主微小管および少なくとも第１および第２の分岐している微小管を含む実施態様１に記載の微量液体分析システム。
（１２）前記少なくとも１個の位置電極が前記主微小管の中における少なくとも１個の位置電極、前記第１の分岐している微小管の中における少なくとも１個の位置電極および前記第２の分岐している微小管の中における少なくとも１個の位置電極を含み、
前記計器が前記主微小管の中における位置電極と前記第１および第２の分岐している微小管の中における各位置電極のいずれかとの間の一定の電気特性を測定する実施態様１１に記載の微量流体分析システム。
（１３）前記少なくとも１個の位置電極が前記第１の分岐している微小管の中における少なくとも２個の位置電極および前記第２の分岐している微小管の中における少なくとも２個の位置電極を含み、
前記計器が前記第１の分岐している微小管の中における２個の位置電極および前記第２の分岐している微小管の中における２個の位置電極のいずれかの間の一定の電気特性を測定する実施態様１１に記載の微量流体分析システム。
（１４）前記少なくとも１個の位置電極が一定の両手の指を組み合わせた形態に構成されている第１および第２の位置電極を含む実施態様１１に記載の微量流体分析システム。
（１５）前記少なくとも１個の位置電極が一定のヘビ状の位置電極である実施態様１１に記載の微量流体分析システム。
（１６）さらに、一定のバイパス電極を含む実施態様１に記載の微量流体分析システム。
【図面の簡単な説明】
【００８３】
【図１】本発明の一定の例示的な実施形態による一定の微量流体分析システムの単純化した側断面の概略図である。
【図２】図１の微量流体分析システムにおける一定の成形したプラグの単純化した斜視図である。
【図３】図１の微量流体分析システムにおける一定の微小管ディスクの単純化した上面図である。
【図４】図１の微量流体分析システムにおける一定のラミネート層の単純化した下面図である。
【図５】本発明による微量流体分析システムの各実施形態が採用可能である一定の体液サンプルを抽出してその中の一定の分析物をモニターするための一定のシステムを示している単純化したブロック図である。
【図６】一定の使用者の皮膚の層に適用されている図５のサンプリング・モジュールの単純化した概略図であり、断続線の矢印は一定の機械的な相互作用を示しており、実線の矢印はＩＳＦの流れか、要素２２８に関連している場合に、圧力の供給を示している。
【図７】本発明による微量流体分析システムの各実施形態において使用するための一定の位置電極、微小管、分析物センサーおよび計器の構成の単純化した概略図である。
【図８Ａ】一定の位置電極を本発明による微量流体分析システムの各実施形態における一定の微小管に曝すことのできる一定の様式を示している単純化した断面の概略図である。
【図８Ｂ】一定の位置電極が本発明による微量流体分析システムの各実施形態における一定の絶縁層により一定の微小管から分離されている一定の様式を示している単純化した断面の概略図である。
【図９】一定の位置検出器が一定の分析物センサーに対して電気的に連絡可能である一定の様式を示している本発明による微量流体分析システムの各実施形態において使用するための別の位置電極、微小管、分析物センサーおよび計器の構成の単純化した概略図である。
【図１０】３個の位置電極の使用を示している本発明による微量流体分析システムの各実施形態において使用するためのさらに別の位置電極、微小管、分析物センサーおよび計器の構成の単純化した概略図である。
【図１１】本発明による微量流体分析システムの各実施形態において使用するための一定の位置電極、主微小管、分岐微小管、分析物センサーおよび計器の構成の単純化した概略図である。
【図１２】本発明による微量流体分析システムの各実施形態において使用するための別の位置電極、主微小管、分岐微小管、分析物センサーおよび計器の構成の単純化した概略図である。
【図１３】本発明による微量流体分析システムの各実施形態において使用するための一定の位置電極、微小管および計器の構成の単純化した概略図である。
【図１４】図１３の構成の一部分に対応する一定の等価な電気回路の単純化した概略図である。
【図１５】本発明による微量流体分析システムの各実施形態において使用するためのさらに別の位置電極、微小管および計器の構成の単純化した概略図である。
【図１６】図１５の構成の一部分に対応する一定の等価な電気回路の単純化した概略図である。
【図１７】本発明による微量流体分析システムの各実施形態において使用するための別の位置電極、微小管および計器の構成の単純化した概略図である。
【図１８】本発明による微量流体分析システムの各実施形態において使用するためのさらに別の位置電極、微小管および計器の構成の単純化した概略図である。
【図１９】図１８の構成の一部分に対応する一定の等価な電気回路の単純化した概略図である。
【図２０】本発明による微量流体分析システムの各実施形態において使用するためのさらに別の位置電極、微小管および計器の構成の単純化した概略図である。
【図２１】アドミタンス対検出部分の数の一定のグラフである。
【符号の説明】
【００８４】
１００  微量流体分析システム
１０２  分析モジュール
１０４  微小管
１０５  センサー・チャンバー
１０６  分析物センサー
１０８，１１０  位置電極
１１２  計器
１１４  プラグ
１１６  微小管ディスク
１１８  ラミネート層
１２０  入口管
１２２  位置合わせ棒材
１２４  サンプル廃物貯蔵部
１２６  位置合わせ穴
１２８  アクセス穴
１３０  膜の弁
２００  システム
２１２  カートリッジ
２１４  ローカル・コントローラ・モジュール
２１６  リモート・コントローラ・モジュール
２１８  サンプリング・モジュール
２２０  分析モジュール
２２２  侵入部材
２２４  発進機構
２２８  押圧リング
３００  システム構成
３０２  第１の位置電極
３０４  第２の位置電極
３０６  計器
３０８  タイマー
３１０  微小管
３１２  分析センサー
３５２  微小管ディスク
３５４  位置電極
３５６  ラミネート層
３５８  計器
４００  システム構成
４５０  システム構成
５００  システム構成
５５０  システム構成
６００  システム構成
６５０  システム構成
７００  システム構成
７５０  システム構成
８００  システム構成
【図１】
2005283581.tif 000004
【図２】
2005283581.tif 000005
【図３】
2005283581.tif 000006
【図４】
2005283581.tif 000007
【図５】
2005283581.tif 000008
【図６】
2005283581.tif 000009
【図７】
2005283581.tif 000010
【図８Ａ】
2005283581.tif 000011
【図８Ｂ】
2005283581.tif 000012
【図９】
2005283581.tif 000013
【図１０】
2005283581.tif 000014
【図１１】
2005283581.tif 000015
【図１２】
2005283581.tif 000016
【図１３】
2005283581.tif 000017
【図１４】
2005283581.tif 000018
【図１５】
2005283581.tif 000019
【図１６】
2005283581.tif 000020
【図１７】
2005283581.tif 000021
【図１８】
2005283581.tif 000022
【図１９】
2005283581.tif 000023
【図２０】
2005283581.tif 000024
【図２１】
2005283581.tif 000025
【外国語明細書】
2005283581000001.pdf